(57)【要約】【課題】遊技者に意識させることなく、遊技中の遊技者の状態を精度よく把握し、演出効果および遊技機における遊技の面白みの向上を図ること。【解決手段】遊技盤の遊技領域に遊技球を発射する発射部９０２を備える遊技機において、遊技者が把持するカップ部材を備え、カップ部材が遊技者によって把持された状態で発射操作がなされている場合に、発射部９０２に対して遊技球の発射をおこなわせるハンドルと、遊技者が把持することによって発生するカップ部材の変形量を連続して検出する変形量検出部９０３と、変形量検出部９０３による検出結果に基づいて、単位時間当たりの前記遊技者の体動回数を計数する計数部９０７と、計数部９０７によって計数された体動回数に基づいて遊技者の興奮状態を検出する興奮状態検出部９１０と、興奮状態検出部９１０によって検出された検出結果を出力する出力部９１１と、を備えたことを特徴とする。【選択図】図９
2008289789.tif 000002
【特許請求の範囲】
【請求項１】
遊技盤の遊技領域に遊技球を発射する発射部を備える遊技機において、
遊技者が把持する把持部材を備え、当該把持部材が前記遊技者によって把持された状態で発射操作がなされている場合に、前記発射部に対して前記遊技球の発射をおこなわせるハンドルと、
前記遊技者が把持することによって発生する前記把持部材の変形量を連続して検出する変形量検出手段と、
前記変形量検出手段による検出結果に基づいて、単位時間当たりの前記遊技者の体動回数を計数する計数手段と、
前記計数手段によって計数された体動回数に基づいて、前記遊技者の興奮状態を検出する興奮状態検出手段と、
前記興奮状態検出手段によって検出された検出結果を出力する出力手段と、
を備えたことを特徴とする遊技機。
【請求項２】
前記計数手段によって計数された体動回数に関する情報を前記単位時間ごとに記憶する回数記憶手段を備え、
前記興奮状態検出手段は、前記回数記憶手段によって記憶された情報に基づいて、記憶された体動回数が、前回以前に記憶された体動回数に対して増加しているか否かに基づいて、前記遊技者の興奮状態を検出することを特徴とする請求項１に記載の遊技機。
【請求項３】
遊技盤の遊技領域に遊技球を発射する発射部を備える遊技機において、
遊技者が把持する把持部材を備え、当該把持部材が前記遊技者によって把持された状態で発射操作がなされている場合に、前記発射部に対して前記遊技球の発射をおこなわせるハンドルと、
前記遊技者が把持することによって発生する前記把持部材の変形量を連続して検出する変形量検出手段と、
前記変形量検出手段による検出結果に基づいて、単位時間当たりの前記遊技者の自発呼吸回数を計数する計数手段と、
前記計数手段によって計数された自発呼吸回数に基づいて、前記遊技者の興奮状態を検出する興奮状態検出手段と、
前記興奮状態検出手段によって検出された検出結果を出力する出力手段と、
を備えたことを特徴とする遊技機。
【請求項４】
前記計数手段によって計数された自発呼吸回数に関する情報を前記単位時間ごとに記憶する回数記憶手段を備え、
前記興奮状態検出手段は、前記回数記憶手段によって記憶された情報に基づいて、記憶された自発呼吸回数が、前回以前に記憶された自発呼吸回数に対して増加しているか否かに基づいて、前記遊技者の興奮状態を検出することを特徴とする請求項３に記載の遊技機。
【請求項５】
前記変形量検出手段は、前記把持部材に加えられた外力に応じて変形するユニモルフ圧電素子であることを特徴とする請求項１〜４のいずれか一つに記載の遊技機。
【請求項６】
所定の演出をおこなう演出手段を備え、
前記演出手段は、前記出力手段により出力された検出結果に基づいて、異なる演出を実行することを特徴とする請求項１〜５のいずれか一つに記載の遊技機。
【請求項７】
遊技盤の遊技領域に遊技球を発射する発射部と、前記発射部に対して前記遊技球を発射させるハンドルと、所定の演出をおこなう演出手段と、を備える遊技機における演出方法であって、
前記ハンドルに対する発射操作がなされていることを検出する発射操作検出工程と、
前記遊技者が把持することによって発生する前記把持部材の変形量を連続して検出する変形量検出工程と、
前記発射操作検出工程によって発射操作がなされていることが検出されている間に、前記変形量検出工程によって検出された検出結果に基づいて、単位時間当たりの前記遊技者の体動回数を計数する計数工程と、
前記計数工程によって計数された体動回数に基づいて、前記遊技者の興奮状態を検出する興奮状態検出工程と、
前記興奮状態検出工程による検出結果に基づいて、前記演出手段を制御する演出制御工程と、
を含むことを特徴とする演出方法。
【請求項８】
遊技盤の遊技領域に遊技球を発射する発射部と、前記発射部に対して前記遊技球を発射させるハンドルと、所定の演出をおこなう演出手段と、を備える遊技機における演出方法であって、
前記ハンドルに対する発射操作がなされていることを検出する発射操作検出工程と、
前記遊技者が把持することによって発生する前記把持部材の変形量を連続して検出する変形量検出工程と、
前記発射操作検出工程によって発射操作がなされていることが検出されている間に、前記変形量検出工程によって検出された検出結果に基づいて、単位時間当たりの前記遊技者の自発呼吸回数を計数する計数工程と、
前記計数工程によって計数された自発呼吸回数に基づいて、前記遊技者の興奮状態を検出する興奮状態検出工程と、
前記興奮状態検出工程による検出結果に基づいて、前記演出手段を制御する演出制御工程と、
を含むことを特徴とする演出方法。
【発明の詳細な説明】
【技術分野】
【０００１】
この発明は、遊技者が直接触れて操作するハンドルを備える遊技機、当該遊技機に設けられたハンドル、および遊技機における不正なハンドル操作を検出する不正検出方法に関する。
【背景技術】
【０００２】
従来、遊技盤の遊技領域に遊技球を発射させるハンドルを備える遊技機が広く使用されている。ハンドルは、遊技機本体から遊技者側（すなわち前方方向）へ突出するような状態で設けられており、遊技者はハンドルを握りながら回転させて遊技球の発射位置に位置づけることによって、遊技盤の遊技領域に遊技球を発射する。遊技機は、ハンドルを遊技球の発射位置に位置づけている間だけ遊技球を発射する構成になっている。
【０００３】
このような遊技機においては、パチンコ機の発射ハンドルに設けた発汗センサーを用いて、遊技中の遊技者の発汗量を検出し、その時々の発汗量とその遊技者の平均発汗量との差に基づいて、演出の内容を異ならせるようにした技術が考案されている（たとえば、下記特許文献１を参照。）。特許文献１において、発汗センサーは、電気伝導度に基づいて発汗量を検出し、発射ハンドルにおいて遊技者側となる端面（前面）に設けられている。
【０００４】
また、ハンドルの前面に設けた検知用センサー（湿度センサー、圧力センサー、半導体温度センサー、赤外線センサー、振動センサーなど）を用いて検出した検出結果に基づいて、遊技者の身体情報を表示するようにした遊技機が考案されている（たとえば、下記特許文献２を参照。）。
【０００５】
【特許文献１】特開２００６−２９６５８４号公報
【特許文献２】特開平６−２６９５３７号公報
【発明の開示】
【発明が解決しようとする課題】
【０００６】
しかしながら、上述した従来の技術では、発汗量や身体情報などの遊技者の身体的な状態に関する情報は演出効果の向上を図ることのみに利用されており、その利用目的は遊技者の興奮を高め遊技に熱中させることに偏りがちであり、検出した検出結果（遊技者の身体的な状態）の利用用途の拡大が図りきれていないという問題があった。
【０００７】
また、上述した従来の技術では、遊技者の手の大きさやハンドルの握り方によっては、遊技者の手（手指や手の平など）がセンサーに触れない場合があり、発汗量や身体情報などを確実に検出できるものではないという問題があった。一方で、確実に検出するためにハンドルの操作方法（握り方など）を指定した場合、発汗量や身体情報などが検出されていることを遊技者が意識してしまい、遊技に集中できなくなるという問題があった。
【０００８】
この発明は、上述した従来技術による問題点を解消するため、遊戯中の遊技者の身体的な状態を確実に検出し、検出結果の利用用途の拡大を図ることができる遊技機および演出方法を提供することを目的とする。
【０００９】
また、この発明は、さらに、遊技者に意識させることなく、遊技中の遊技者の興奮状態を確実に検出し、検出結果を反映して演出を効果的におこない、遊技機における遊技の面白みの向上を図ることができる遊技機および演出方法を提供することを目的とする。
【課題を解決するための手段】
【００１０】
上述した課題を解決し、目的を達成するため、この発明にかかる遊技機は、遊技盤の遊技領域に遊技球を発射する発射部を備える遊技機において、遊技者が把持する把持部材を備え、当該把持部材が前記遊技者によって把持された状態で発射操作がなされている場合に、前記発射部に対して前記遊技球の発射をおこなわせるハンドルと、前記遊技者が把持することによって発生する前記把持部材の変形量を連続して検出する変形量検出手段と、前記変形量検出手段による検出結果に基づいて、単位時間当たりの前記遊技者の体動回数を計数する計数手段と、前記計数手段によって計数された体動回数に基づいて、前記遊技者の興奮状態を検出する興奮状態検出手段と、前記興奮状態検出手段によって検出された検出結果を出力する出力手段と、を備えたことを特徴とする。
【００１１】
この発明によれば、操作するために遊技者が確実に触れる箇所から遊技者の体動回数を検出し、検出された体動回数に基づいて遊戯中の遊技者の興奮状態を検出することで、興奮の傾向（興奮が高まる傾向にあるか、興奮が低下する傾向にあるか、興奮の程度（強い興奮状態、やや強い興奮状態、平常状態、興奮していない、など）はどの位か、など）を判断することができる。そして、検出された検出結果、すなわち遊技者の興奮状態を出力することにより、遊技者の興奮状態を、遊技者に案内することもできる。
【００１２】
また、この発明にかかる遊技機は、上記の発明において、前記計数手段によって計数された体動回数に関する情報を前記単位時間ごとに記憶する回数記憶手段を備え、前記興奮状態検出手段は、前記回数記憶手段によって記憶された情報に基づいて、記憶された体動回数が、前回以前に記憶された体動回数に対して増加しているか否かに基づいて、前記遊技者の興奮状態を検出することを特徴とする。
【００１３】
この発明によれば、すべての遊技者に対する一律の閾値ではなく、同じ遊技者の過去の状態を基準にして遊技中の遊技者の興奮状態を検出し、興奮の傾向（興奮が高まる傾向にあるか、興奮が低下する傾向にあるか、興奮の程度（強い興奮状態、やや強い興奮状態、平常状態、興奮していない、など）はどの位か、など）を判断することができる。
【００１４】
また、この発明にかかる遊技機は、遊技盤の遊技領域に遊技球を発射する発射部を備える遊技機において、遊技者が把持する把持部材を備え、当該把持部材が前記遊技者によって把持された状態で発射操作がなされている場合に、前記発射部に対して前記遊技球の発射をおこなわせるハンドルと、前記遊技者が把持することによって発生する前記把持部材の変形量を連続して検出する変形量検出手段と、前記変形量検出手段による検出結果に基づいて、単位時間当たりの前記遊技者の自発呼吸回数を計数する計数手段と、前記計数手段によって計数された自発呼吸回数に基づいて、前記遊技者の興奮状態を検出する興奮状態検出手段と、前記興奮状態検出手段によって検出された検出結果を出力する出力手段と、を備えたことを特徴とする。
【００１５】
この発明によれば、操作するために遊技者が確実に触れる箇所から遊技者の自発呼吸回数を検出し、検出された自発呼吸回数に基づいて遊戯中の遊技者の興奮状態を検出することで、興奮の傾向（興奮が高まる傾向にあるか、興奮が低下する傾向にあるか、興奮の程度（強い興奮状態、やや強い興奮状態、平常状態、興奮していない、など）はどの位か、など）を判断することができる。そして、検出された検出結果、すなわち遊技者の興奮状態を出力することにより、遊技者の興奮状態を、遊技者に案内することもできる。
【００１６】
また、この発明にかかる遊技機は、上記の発明において、前記計数手段によって計数された自発呼吸回数に関する情報を前記単位時間ごとに記憶する回数記憶手段を備え、前記興奮状態検出手段は、前記回数記憶手段によって記憶された情報に基づいて、記憶された自発呼吸回数が、前回以前に記憶された自発呼吸回数に対して増加しているか否かに基づいて、前記遊技者の興奮状態を検出することを特徴とする。
【００１７】
この発明によれば、すべての遊技者に対する一律の閾値ではなく、同じ遊技者の過去の状態を基準にして遊技中の遊技者の興奮状態を検出し、興奮の傾向（興奮が高まる傾向にあるか、興奮が低下する傾向にあるか、興奮の程度（強い興奮状態、やや強い興奮状態、平常状態、興奮していない、など）はどの位か、など）を判断することができる。
【００１８】
また、この発明にかかる遊技機は、上記の発明において、前記変形量検出手段が、前記把持部材に加えられた外力に応じて変形するユニモルフ圧電素子であることを特徴とする。この発明によれば、構成の簡易化を図ることができる。
【００１９】
また、この発明にかかる遊技機は、上記の発明において、所定の演出をおこなう演出手段を備え、前記演出手段は、前記出力手段により出力された検出結果に基づいて、異なる演出を実行することを特徴とする。
【００２０】
この発明によれば、遊戯中の遊技者の興奮の傾向（興奮が高まる傾向にあるか、興奮が低下する傾向にあるか、興奮の程度（強い興奮状態、やや強い興奮状態、平常状態、興奮していない、など）はどの位か、など）に応じた演出をおこなうことができる。
【００２１】
また、この発明にかかる演出方法は、遊技盤の遊技領域に遊技球を発射する発射部と、前記発射部に対して前記遊技球を発射させるハンドルと、所定の演出をおこなう演出手段と、を備える遊技機における演出方法であって、前記ハンドルに対する発射操作がなされていることを検出する発射操作検出工程と、前記遊技者が把持することによって発生する前記把持部材の変形量を連続して検出する変形量検出工程と、前記発射操作検出工程によって発射操作がなされていることが検出されている間に、前記変形量検出工程によって検出された検出結果に基づいて、単位時間当たりの前記遊技者の体動回数を計数する計数工程と、前記計数工程によって計数された体動回数に基づいて、前記遊技者の興奮状態を検出する興奮状態検出工程と、前記興奮状態検出工程による検出結果に基づいて、前記演出手段を制御する演出制御工程と、を含むことを特徴とする。
【００２２】
この発明によれば、遊技者の体動回数に基づいて遊戯中の遊技者の興奮状態を検出し、遊戯中の遊技者の興奮の傾向（興奮が高まる傾向にあるか、興奮が低下する傾向にあるか、興奮の程度（強い興奮状態、やや強い興奮状態、平常状態、興奮していない、など）はどの位か、など）に応じた演出をおこなうことができる。
【００２３】
また、この発明にかかる演出方法は、遊技盤の遊技領域に遊技球を発射する発射部と、前記発射部に対して前記遊技球を発射させるハンドルと、所定の演出をおこなう演出手段と、を備える遊技機における演出方法であって、前記ハンドルに対する発射操作がなされていることを検出する発射操作検出工程と、前記遊技者が把持することによって発生する前記把持部材の変形量を連続して検出する変形量検出工程と、前記発射操作検出工程によって発射操作がなされていることが検出されている間に、前記変形量検出工程によって検出された検出結果に基づいて、単位時間当たりの前記遊技者の自発呼吸回数を計数する計数工程と、前記計数工程によって計数された自発呼吸回数に基づいて、前記遊技者の興奮状態を検出する興奮状態検出工程と、前記興奮状態検出工程による検出結果に基づいて、前記演出手段を制御する演出制御工程と、を含むことを特徴とする。
【００２４】
この発明によれば、遊技者の自発呼吸回数に基づいて遊戯中の遊技者の興奮状態を検出し、遊戯中の遊技者の興奮の傾向（興奮が高まる傾向にあるか、興奮が低下する傾向にあるか、興奮の程度（強い興奮状態、やや強い興奮状態、平常状態、興奮していない、など）はどの位か、など）に応じた演出をおこなうことができる。
【発明の効果】
【００２５】
この発明にかかる遊技機および演出方法によれば、遊戯中の遊技者の興奮の傾向（興奮が高まる傾向にあるか、興奮が低下する傾向にあるか、興奮の程度（強い興奮状態、やや強い興奮状態、平常状態、興奮していない、など）はどの位か、など）を、遊技者に意識させることなく確実に検出することができるという効果を奏する。
【００２６】
そして、検出結果を遊技者に案内することにより検出結果の利用（活用）用途を遊技者自身にゆだねることができ、利用用途の拡大を図ることができるという効果を奏する。また、検出結果を演出に反映することにより演出を効果的におこない、遊技機における遊技の面白みの向上を図ることができるという効果を奏する。
【発明を実施するための最良の形態】
【００２７】
以下に添付図面を参照して、この発明にかかる遊技機、および遊技機における演出方法の好適な実施の形態を詳細に説明する。
【００２８】
（遊技機の基本構成）
図１は、この発明の遊技機の一例を示す正面図である。この発明の遊技機は、遊技盤１０１を備えている。遊技盤１０１の盤面には、表示部１０２が設けられている。表示部１０２は、たとえばＬＣＤ（Ｌｉｑｕｉｄ  Ｃｒｙｓｔａｌ  Ｄｉｓｐｌａｙ）などによって構成することが可能であり、演出制御部（図５−１における符号５５０を参照）によって駆動制御されることによって所定の画像を表示する。表示部１０２は、たとえば、遊技球が特定の入賞口（始動入賞口１０３）に入賞するごとに、複数（たとえば３つ）の図柄を順次切り替えながら表示し、所定時間後に図柄の切り替えを停止する処理をおこなう。
【００２９】
遊技機は、遊技球が特定の入賞口（始動入賞口１０３）に入賞するごとに、図示しない主制御部において乱数を生成し、生成された乱数に応じて適宜大当たり状態を発生させる。そして、大当たり状態の発生時には、表示部１０２に特定図柄（たとえば「７」が一直線上に３つ揃った「７７７」など）を表示し、つづいて所定の大当たり演出をおこなう。所定の大当たり演出は、遊技盤１０１の下部位置に設けられた大入賞口１０１ａを開閉したり、表示部１０２に大当たり演出用の画像を表示したり、図示しないスピーカから大当たり演出用の音声を出力したりする。
【００３０】
遊技盤１０１において大入賞口１０１ａの下部位置には、発射部（図９における符号９０２を参照）が配置されている。発射部は、遊技のための遊技球を発射するものであり、発射部の駆動によって発射された遊技球は、レール１０４ａ，１０４ｂ間を上昇して遊技盤１０１の上部位置を経由して、遊技領域１０５内に達する。発射部は、遊技領域１０５内に向けて遊技球を打ち出すためのソレノイドなどを備えており、ソレノイドへの通電があるごとに遊技領域１０５内に遊技球を間欠的に打ち出すことで、遊技盤１０１の遊技領域１０５に遊技球を発射する。
【００３１】
遊技領域１０５内には、複数の釘や風車（いずれも図示を省略する）などが設けられており、遊技領域１０５内に達した遊技球は釘や風車などによって各種の方向に向けて落下する。また、遊技領域１０５内には、遊技球の通過を検出する入賞ゲート１０６が配設されている。遊技球が入賞ゲート１０６を通過したことが検出されると、始動入賞口１０３が一定時間だけ開放する。
【００３２】
また、遊技領域１０５内には、遊技球が入賞した場合に所定個数の賞球を払い出させる普通入賞口１０７が配設されている。遊技領域１０５内を落下途中の遊技球は、それぞれ、落下経路に応じて、始動入賞口１０３や普通入賞口１０７に落下する。遊技領域１０５の最下部には、始動入賞口１０３にも普通入賞口１０７にも入賞しなかった遊技球を回収する回収口１０８が設けられている。
【００３３】
また、遊技領域１０５内には、演出用のＬＥＤや、演出用の役物が設けられている（いずれも図示を省略する）。演出用のＬＥＤは、演出制御部（後述する図５−１における符号５５０を参照）によって制御されて点灯あるいは点滅する。演出用の役物は、図示を省略するモータなどによって動作するように構成されており、演出制御部によって制御されるモータの動力によって動作する。
【００３４】
遊技盤１０１の下端部よりも下部位置には、ハンドル１０９が配置されている。ハンドル１０９は、遊技者によって操作されて、操作されている間、上記の発射部に遊技球を発射させる。図１において、ハンドル１０９は、遊技盤１０１の盤面位置から遊技者の手前方向に突出している。
【００３５】
図２−１は、ハンドル１０９を示す斜視図である。ハンドル１０９は、遊技機の本体に固定された基部２１１と、基部２１１に設けられたカップ部材２１２と、回転レバー部材２１３と、を備えている。回転レバー部材２１３は、ハンドル１０９の外周部において、基部２１１に対して、ハンドル１０９の突出方向を軸心方向とする軸心周りに所定角度（たとえば９０度程度）だけ回転可能に設けられている。
【００３６】
回転レバー部材２１３の回転角度は、回転レバー部材２１３の回転角度に応じて出力が変化するセンサを備える所定の検出機構を用いて検出する。回転レバー部材２１３の回転角度を検出する検出機構については、公知の各種技術を用いて容易に実現可能であるため、ここでは図示および説明を省略する。
【００３７】
ハンドル１０９は、遊技者が回転レバー部材２１３を右回り方向に回転させることによって、回転レバー部材２１３が所定の発射位置に位置づけられている場合に、上記の発射部に対して遊技球を発射させる。回転レバー部材２１３は、コイルスプリングなどの図示しない付勢部材によって遊技者から見て左回り方向に付勢されている。これにより、遊技者は、付勢部材による付勢力に抗する力を回転レバー部材２１３に加えながら、回転レバー部材２１３を回転させる。
【００３８】
回転レバー部材２１３は、基部２１１の外周部分に嵌め込まれるリング形状を有している。回転レバー部材２１３の外周部分には、回転レバー部材２１３を回転させる遊技者が手指を引っかけることができる形状を有する、複数の突起２１３ａを備えている。カップ部材２１２は、回転レバー部材２１３を回転させるために遊技者が回転レバー部材２１３に力を入れた場合に、遊技者の手の平の中に収まる形状（たとえば略半球形状）を有している。カップ部材２１２には、たとえば遊技機製造者のトレードマーク（図２−１においては「Ｐ」）などが設けられるエンブレム２１２ａが設けられている。
【００３９】
図２−２は、カップ部材２１２を示す斜視図である。図２−２において、カップ部材２１２は、たとえば硬質プラスチックにより形成されている。カップ部材２１２の材質は、硬質プラスチックに限定されるものではなく、金属、木材など、操作者が把持した場合に微量に変形する（歪むあるいは撓む）材質であれば、特に限定されない。
【００４０】
カップ部材２１２は、図示しないネジが螺合されるネジ孔（図３における符号３０３を参照）が設けられたネジ受け部２２１を備えており、基部２１１側から挿入されたネジをネジ孔に螺合させることによって基部２１１に固定される。カップ部材２１２は、回転レバー部材２１３を回転させるために遊技者が回転レバー部材２１３に力を入れた場合に変形し、遊技者がハンドル１０９から手を放すと元の形状に復帰する程度の弾性を有する材料（たとえばプラスチックなど）によって形成されている。
【００４１】
図３は、カップ部材２１２を示す平面図である。図３は、カップ部材２１２を、基部２１１側から図２−２における矢印Ａ方向に見た状態を示している。このため、図３においえては、エンブレム２１２ａに設けられたトレードマーク「Ｐ」が反転し、かつ、図２−１とは反対側から見た状態であるため反転したトレードマーク「Ｐ」が仮想線で示されている。
【００４２】
図３において、カップ部材２１２の内側には、変位量を検出手段として、ユニモルフ圧電素子３０１が設けられている。ユニモルフ圧電素子３０１は、長方形状の基板３０２に固定されており、基板３０２の両端部をカップ部材２１２の内面に固定することによってカップ部材２１２の内側に固定されている。
【００４３】
ユニモルフ圧電素子３０１は、薄板形状の圧電素子と金属板とを貼り合わせた構造を有しており（図４における符号４０１，４０２を参照）、基板３０２が変形して金属板が変形すると、金属板の変形量に応じた電圧値を出力する。ユニモルフ圧電素子３０１に関しては公知の技術であるため、その詳細な説明を省略する。
【００４４】
変位量を検出手段として、ユニモルフ圧電素子に代えて、ユニモルフ圧電素子以外の公知の各種圧電素子、半導体、抵抗歪みセンサなど、加えられた圧力に応じた電圧を出力する感圧素子を設けることも可能である。これらの各種圧電素子、半導体、抵抗歪みセンサなどの感圧素子についても、公知の技術であるためここでは説明を省略する。
【００４５】
ユニモルフ圧電素子３０１の取り付け位置は特に限定されないが、図３においては、カップ部材２１２の側方に取り付けられている。すなわち、遊技者がハンドル１０９を操作する際に、遊技者の手指（手の平の一部）が触れる場所であって、具体的には、たとえば遊技球を発射する位置まで回転レバー部材２１３を回転させた状態で遊技者の手指の付け根部分が触れる場所、または、遊技者の手指の付け根部分が触れる場所の周辺となる場所であるとよい。
【００４６】
基板３０２は、ハンドル１０９に取り付けられた状態において上下位置となる２辺を、カップ部材２１２の内面に固定することによってカップ部材２１２の内側に固定されている。ユニモルフ圧電素子３０１は、カップ部材２１２の側方に限らず、遊技者がハンドル１０９を操作する際に遊技者の手指（手の平の一部）が触れる場所あるいは遊技者が触れる場所の近傍など、カップ部材２１２の変形にともなって変形する場所に設けられていればよい。
【００４７】
遊技に際して遊技者がハンドル１０９を操作するためにハンドル１０９を把持すると、遊技者の手の平の中にあるカップ部材２１２が歪むように変形する。ユニモルフ圧電素子３０１は、カップ部材２１２の変形に応じて異なる電圧値を出力する。遊技機は、ユニモルフ圧電素子３０１が出力する電圧値の変化に基づいて、遊技者がハンドル１０９を把持しているか否かを判断することができる。図３において、符号３０３は上述したネジ孔である。
【００４８】
図４は、基板３０２および基板３０２に取り付けられた各部を示す説明図である。図４において、ユニモルフ圧電素子３０１は、圧電素子４０１が貼り付けられた金属板４０２の全面を、基板３０２に固定した状態で基板３０２に取り付けられている。これにより、基板３０２の変形をユニモルフ圧電素子３０１における金属板４０２に良好に伝達することができる。
【００４９】
基板３０２には、ユニモルフ圧電素子３０１から出力された電圧値を増幅する増幅器４０３が設けられている。これにより、後段の回路またはソフト的な処理によって１０Ｈｚ以下の信号を抽出することができる。増幅器４０３は、たとえばインピーダンス変換素子などによって実現することができる。インピーダンス変換素子については、公知の技術であるため、詳細な説明を省略する。
【００５０】
遊技機が遊技を待機している状態において、ユニモルフ圧電素子３０１から出力される電圧値は０（ゼロ（またはゼロと同等））である。回転レバー部材２１３を回転させるために遊技者が回転レバー部材２１３に力を入れる（把持して回転させる）ことによって、たとえば硬質のプラスチック素材で形成されているカップ部材２１２が視認できない程度にわずかに変形する。
【００５１】
ユニモルフ圧電素子３０１は、カップ部材２１２のそのわずかな変形に応じて変形し、カップ部材２１２の変形量に応じた電圧値を出力する（図６、図７、図８を参照）。基板３０２には、ユニモルフ圧電素子３０１とともに、ユニモルフ圧電素子３０１から出力される電圧値に基づいて、遊技者の興奮状態の検出および判断にかかる判断機構部（図５−１における符号５００を参照）が設けられている。
【００５２】
図５−１は、判断機構部を示すブロック図である。図５−１において、判断機構部５００は、上述したユニモルフ圧電素子３０１および増幅器４０３と、体動推移量算出部５０１と、呼吸推移量算出部５０２と、インターフェイス（以下、「Ｉ／Ｆ」という）５０３を備えている。
【００５３】
体動推移量算出部５０１は、増幅器４０３によって増幅された電圧値に基づいて、単位時間当たりの遊技者の体動回数から、遊技者の興奮状態の推移の判断基準となる体動推移量を算出する。体動は、遊技盤の盤面に対する遊技者の体の動きであり、動きの方向は遊技盤の盤面に対して前後左右いずれであってもよい。
【００５４】
遊技機は床面などに固定されているため、遊技盤の盤面に対して遊技者が動くと、ハンドル１０９と遊技者との相対的な位置関係が変化し、この位置変化にともなってハンドル１０９を把持する力あるいはハンドル１０９を把持する手の角度など、遊技者によるハンドル１０９の把持状態が変化する。上述したユニモルフ圧電素子３０１は、この把持状態の変化に応じて変化するカップ部材２１２の変形量を電圧値として出力する。
【００５５】
体動推移量は、単位時間ごとの遊技者の体動回数の増減をあらわし、或るタイミングにおいて計数された単位時間当たりの体動回数の、前回のタイミングにおいて計測された単位時間当たりの体動回数に対する割合によってあらわされる。体動推移量算出部５０１については、後述する（図５−２を参照）。
【００５６】
呼吸推移量算出部５０２は、増幅器４０３によって増幅された電圧値に基づいて、単位時間当たりの遊技者の自発呼吸回数から、遊技者の興奮状態の推移の判断基準となる呼吸推移量を算出する。呼吸推移量は、単位時間ごとの遊技者の自発呼吸回数の増減をあらわし、或るタイミングにおいて計数された自発呼吸回数の、前回のタイミングにおいて計測された自発呼吸回数に対する割合によってあらわされる。呼吸推移量算出部５０２については、後述する（図５−３を参照）。
【００５７】
自発呼吸は、遊技者が自分自身で呼吸をすることであり、自然呼吸のことである。より詳細に、自発呼吸は、遊技者が自らの意思とは無関係に横隔膜を下げて胸腔内を陰圧にするとともに声門を開くという協調的な動作によって体内に空気を入れ、横隔膜を上げるとともに声門を開くことにより体内に入れた空気を体外に排出する動作である。
【００５８】
Ｉ／Ｆ５０３は、体動推移量算出部５０１によって算出された体動推移量および呼吸推移量算出部５０２によって算出された呼吸推移量を、演出制御部５５０へ出力する。演出制御部５５０は、遊技中における演出制御をおこなう。また、演出制御部５５０は、判断部５００におけるＩ／Ｆ５０３から出力された信号に応じた演出処理をおこなう。
【００５９】
図示を省略するが、演出制御部５５０は、演出処理を実行するＣＰＵと、プログラムや背景画像、図柄画像、キャラクタ画像など各種画像データを記憶するＲＯＭと、ＣＰＵの演算処理時におけるデータのワークエリアとして機能するＲＡＭと、表示部１０２に表示させる画像データを書き込むＶＲＡＭなどを備えて構成される。また、図示を省略するが、演出制御部５５０は、主制御部５６０、表示部１０２、演出用のＬＥＤ（あるいはＬＥＤを点灯制御する基板）、演出用の役物を動作させるモータ（あるいはモータを駆動制御する基板）などとの間で通信をおこなうＩ／Ｆを備えて構成される。
【００６０】
演出制御は、ＣＰＵがＲＯＭに記憶されたプログラムを読み込んで、背景画像表示処理、図柄画像表示／変動処理、キャラクタ画像表示処理などの各種画像処理や演出用のＬＥＤの点灯（点滅）処理などの演出処理を実行させる制御である。各種の画像処理の実行に際しては、必要な画像データなどをＲＯＭから読み出してＶＲＡＭに書き込む。
【００６１】
演出制御部５５０は、主制御部５６０によって制御される。図示を省略するが、主制御部５６０は、プログラムを記憶するＲＯＭと、ＲＯＭに記憶されたプログラムに基づいて遊技内容の進行にともなう基本処理を実行するＣＰＵと、ＣＰＵの演算処理時におけるデータのワークエリアとして機能するＲＡＭなどを備えて構成される。
【００６２】
判断機構部５００における増幅器４０３、体動推移量算出部５０１および呼吸推移量算出部５０２は、遊技者の興奮状態の推移の判断基準となる体動推移量および呼吸推移量を算出する（増幅器４０３、体動推移量算出部５０１、呼吸推移量算出部５０２の各機能を実現する）プログラムを記憶するＲＯＭと、ＲＯＭに記憶されたプログラムに基づいて体動推移量および呼吸推移量を算出する処理を実行するＣＰＵと、ＣＰＵの演算処理時におけるデータのワークエリアとして機能するＲＡＭなどによって構成されるマイクロコンピュータなどによって実現することができる。
【００６３】
なお、増幅器４０３、体動推移量算出部５０１、呼吸推移量算出部５０２によって実現される各機能は、単一のマイクロコンピュータによって実現するものに限らず、たとえば、各部の機能を各々別個に実現するマイクロコンピュータ（回路）を組み合わせることによって実現してもよい。
【００６４】
図５−２は、体動推移量算出部５０１の構成を示すブロック図である。図５−２において、体動推移量算出部５０１は、ローパスフィルタ５０４と、比較器５０５と、タイマ付きカウンタ５０６と、メモリ５０７と、除算器５０８と、によって構成される。ローパスフィルタ５０４は、所定の周波数以下の電圧信号を通過させ、後段の比較器５０５へ出力する。
【００６５】
所定の周波数は、ハンドル１０９を操作する（回転レバー部材２１３を回転させる）ために使用される手の筋肉以外の無意識な全身の動きに起因して遊技者が発する振動の周波数である。無意識な全身の動きは、たとえば貧乏揺すりなど遊技者の癖にともなって生じる全身の動きである。所定の周波数は、ハンドル１０９を操作する際に筋肉を動かすことによって生じるマイクロバイブレーション（生体表面微細振動）に起因して遊技者が発する振動の周波数よりもはるかにレベルの大きい周波数であり、たとえば１０Ｈｚ以下である。
【００６６】
比較器５０５は、図示を省略するメモリを備えており、当該メモリに記憶された体動比較値とローパスフィルタ５０４から出力された電圧信号とを比較する。体動比較値は、体動と判断可能な電圧値の絶対値をあらわし、具体的には、たとえば実験によって得られる値に基づいて任意に設定可能な電圧値（たとえば「１５０ｍＶ」など）に設定される。そして、比較器５０５は、比較結果およびローパスフィルタ５０４から出力された電圧信号を、後段のタイマ付きカウンタ５０６に出力する。
【００６７】
タイマ付きカウンタ５０６は、タイマ機能によって計時する単位時間内において、ローパスフィルタ５０４から出力された電圧信号が体動比較値を上回った回数（以下、「体動回数」という）をカウント（計数）する。単位時間は、任意に設定可能な時間であり、具体的には、たとえば「１分」などに設定される。タイマ付きカウンタ５０６は、プラス（「＋」）およびマイナス（「−」）の電位に振れる電圧信号の絶対値が、体動比較値を上回った回数を、体動回数としてカウント（計数）する。タイマ付きカウンタ５０６は、カウント（計数）した体動回数を、後段のメモリ５０７および除算器５０８へ出力する。
【００６８】
メモリ５０７は、タイマ付きカウンタ５０６から出力された体動回数を、単位時間ごとに記憶する。除算器５０８は、メモリ５０７に記憶された体動回数を、タイマ付きカウンタ５０６から出力された体動回数で除算する。除算器５０８は、メモリ５０７に記憶された体動回数のうち、除算器５０８およびメモリ５０７に同時に出力された体動回数（以下、「最新の体動回数」という）をカウント（計数）する直前（直前回）に記憶した体動回数（以下、「直前回の体動回数」という）を除算に用いる。これにより、除算器５０８およびメモリ５０７に同時に出力された体動回数の、直前回にカウント（計数）した体動回数に対する比率（体動推移量）が算出される。
【００６９】
一般的に、人は興奮すると、無意識に体を動かす回数が増える傾向にある。このことから、除算結果（体動推移量）が「１」を上回る場合は体動回数が減少する傾向にあり、平常心に近付いてきたと判断することができる。逆に、除算結果（体動推移量）が「１」を下回る場合は体動回数が増加する傾向にあり、興奮が高まってきたと判断することができる。
【００７０】
興奮していない場合（通常の遊技中）であっても、遊技者はある程度は体を動かすものであり、上記の体動比較値は、大当たり状態ではない場合（通常の遊技中）よりも動きが大きいと判断される体動と判断可能な電圧値に基づいて設定される。除算器５０８は、除算によって得られた除算結果（体動推移量）を、Ｉ／Ｆ５０３を介して演出制御部５５０へ出力する。
【００７１】
図５−３は、呼吸推移量算出部５０２の構成を示すブロック図である。図５−３において、呼吸推移量算出部５０２は、呼吸用ローパスフィルタ５１０と、比較器５１１と、微分演算器５１２と、ゼロクロス検出器５１３と、正負判定器５１４と、タイマ５１５，５１６と、除算器５１７と、レベル検出器５１８と、メモリ５１９，５２０と、加算器５２１と、総呼吸数計数部５２２と、カウンタ５２３と、メモリ５２４と、除算器５２５と、によって構成される。
【００７２】
呼吸用ローパスフィルタ５１０は、上述した所定の周波数（たとえば、１Ｈｚ）以下の電圧信号を通過させ、後段の比較器５１１および微分演算器５１２へ出力する。比較器５１１は、図示を省略するメモリを備えており、当該メモリに記憶された呼吸比較値と呼吸用ローパスフィルタ５１０から出力された電圧信号とを比較する。
【００７３】
呼吸比較値は、呼吸と判断可能な電圧値をあらわす。呼吸比較値は、具体的には、たとえば、一般的な成人の１分間当たりの心拍数（１２〜１５回／ｍｉｎ）に基づいて設定することが可能であり、（１／１２）〜（１／１５）Ｈｚなどの周波数成分における電圧値である。そして、比較器５１１は、比較結果に基づいて、呼吸用ローパスフィルタ５１０から出力された電圧信号が一定レベル（所定の閾値。たとえば「１５０ｍＶ」など）以下であった場合にのみ、呼吸用ローパスフィルタ５１０から出力された電圧信号を後段のゼロクロス検出器５１３へ出力する。
【００７４】
自発呼吸は、呼吸用ローパスフィルタ５１０から出力された電圧信号（交流の信号）がプラス（「＋」）値となる時間とマイナス（「−」）値となる時間との比率が一定範囲内にあることをもって、自発呼吸であると判断することができる。自発呼吸であるか否かは、吸気と呼気とが１回ずつおこなわれた、１周期（１呼吸）分の電圧信号の計測が完了した後に判定することができる。
【００７５】
ゼロクロス検出器５１３は、呼吸用ローパスフィルタ５１０から出力された電圧信号がゼロ（「０」）になるタイミング（ゼロクロスポイント）を検出し、ゼロクロスポイントを検出するごとに、検出したことをあらわす信号を正負判定器５１４に出力する。微分演算器５１２は、呼吸用ローパスフィルタ５１０から出力された電圧信号の微分演算をおこない、演算結果を正負判定器５１４に出力する。
【００７６】
正負判定器５１４は、正負判定器５１４および微分演算器５１２からの出力値に基づいて、呼吸用ローパスフィルタ５１０から出力された電圧信号（自発呼吸）のゼロクロスにおける傾きがプラス（「−」から「＋」へ移行）であるか、マイナス（「＋」から「−」へ移行）であるかの判定をおこなう。判定により判定結果をあらわすパルス信号が得られる。
【００７７】
正負判定器５１４は、呼吸用ローパスフィルタ５１０から出力された電圧信号（交流の信号）が描く波形パターンにおける傾きがプラス（「−」から「＋」へ移行）となる場合は、タイマ５１５にｓｔａｒｔ信号を出力するとともにタイマ５１６にｓｔｏｐ信号を出力する。また、正負判定器５１４は、呼吸用ローパスフィルタ５１０から出力された電圧信号（交流の信号）が描く波形パターンにおける傾きがマイナス（「＋」から「−」へ移行）となる場合は、タイマ５１５にｓｔｏｐ信号を出力するとともにタイマ５１６にｓｔａｒｔ信号を出力する。
【００７８】
タイマ５１５，５１６は、ゼロクロス検出器５１３およびレベル検出器５１４から出力された信号に基づいて、呼吸用ローパスフィルタ５１０から出力された電圧信号（交流の信号）がプラス（「＋」）値となる時間（吸気周期）と、マイナス（「−」）値となる時間（呼気周期）と、を計時する。
【００７９】
タイマ５１５，５１６において、それぞれ、吸気または呼気１回分（自発呼吸１／２周期分）として計時された時間の合計が、１周期分の呼吸に要する時間となる。すなわち、呼吸は、吸気→呼気→吸気→・・・と連続するため、タイマ５１５，５１６において吸気または呼気周期の計時をそれぞれ１回分ずつおこなうために要する時間が、１周期分の呼吸に要する時間となる。
【００８０】
除算器５１７は、１周期分の呼吸がおこなわれたタイミングで、呼吸用ローパスフィルタ５１０から出力された電圧信号（交流の信号）がプラス（「＋」）値となる時間（吸気１回分に要する時間）と、マイナス（「−」）値となる時間（呼気１回分に要する時間）と、の比率を除算によって算出する。
【００８１】
レベル検出器５１８は、除算によって算出された比率（レベル）が、一定範囲内にあるか否かを検出し、一定範囲内にある場合は自発呼吸であると判断して加算器５２１にｓｔａｒｔ信号を出力するとともに、一定範囲内にない場合は加算器５２１にｓｔｏｐ信号を出力する。これにより、自発呼吸が連続しておこなわれている時間が計時される。
【００８２】
メモリ５１９は、レベル検出器５１８によって自発呼吸として判断された１回分の呼吸における吸気時間を記憶する。メモリ５２０は、レベル検出器５１８によって自発呼吸として判断された１回分の呼吸における呼気時間を記憶する。また、メモリ５２０は、１回分の呼吸における呼気時間を記憶したことをあらわす信号を後段のカウンタ５２３へ出力する。カウンタ５２３は、メモリ５２０から出力された信号に基づいて呼吸回数を記憶する。
【００８３】
加算機５２１は、メモリ５１９，５２０に記憶された各時間を総加算する。加算機５２１は、レベル検出器５１８からｓｔａｒｔ信号が出力されてからｓｔｏｐ信号が出力されるまでの間、メモリ５１９，５２０に記憶された各時間を総加算する。たとえばレベル検出器５１８からｓｔａｒｔ信号が出力されてからｓｔｏｐ信号が出力されるまでの間に、吸気と呼気とが１回ずつおこなわれた場合、加算器５２１は呼吸１回（周期）に要する時間を加算する。
【００８４】
総呼吸数計数部５２２は、加算器５２１から出力された総加算結果を、カウンタ５２３が記憶する回数で除算する。これにより、自発呼吸の平均周期時間を得ることができる。そして、総呼吸数計数部５２２は、除算により得られた平均周期時間を後段のメモリ５２４および除算器５２５へ出力する。
【００８５】
総呼吸数計数部５２２は、加算器５２１から出力された総加算結果および除算によって得られた自発呼吸の平均周期時間に基づいて、レベル検出器５１８からｓｔａｒｔ信号が出力されてからｓｔｏｐ信号が出力されるまでの時間内における総呼吸数を算出し、算出した総呼吸数をあらわす信号を段のメモリ５２４および除算器５２５へ出力してもよい。
【００８６】
メモリ５２４は、総呼吸数計数部５２２から出力された平均周期時間を記憶する。除算器５２５は、総呼吸数計数部５２２から出力された平均周期時間およびメモリ５２４から出力された平均周期時間に基づいて、平均周期時間を算出したあるタイミングにおける平均周期時間の、当該平均周期時間を算出する以前に算出した平均周期時間に対する比率を算出する。比率の算出に際しては、除算器５２５およびメモリ５２４に同時に出力された平均周期時間（以下、「最新の平均周期時間」という）を算出する直前（直前回）に記憶した平均周期時間（以下、「直前回の平均周期時間」という）を用いることが好ましい。
【００８７】
すなわち、除算器５２５は、平均周期時間を算出したあるタイミングにおける単位時間当たりの自発呼吸回数（以下、「最新の自発呼吸回数」という）の、当該自発呼吸回数を算出する以前における単位時間当たりの自発呼吸回数（以下、「過去の自発呼吸回数」という）に対する比率（呼吸推移量）を算出する。この比率（呼吸推移量）の算出に際しては、過去の自発呼吸回数のうちでもっとも新しい自発呼吸回数（以下、「直前回の自発呼吸回数」という）を用いることが好ましい。
【００８８】
一般的に、遊技者の自発呼吸回数は、興奮が高まってくると遊技者の無意識のうちに増える傾向にある。このことから、除算器５２５による除算結果（呼吸推移量）が「１」を下回る場合は自発呼吸回数が増加する（自発呼吸の平均周期時間が短くなる）傾向にあり、興奮が高まってきたと判断することができる。
【００８９】
逆に、除算結果（呼吸推移量）が「１」を上回る場合は呼吸回数が減少する（自発呼吸の平均周期時間が長くなる）傾向にある、すなわち平常心に近付いてきたあるいはリラックス状態へ移行する状態にあると判断することができる。除算器５２５は、除算によって得られた除算結果（呼吸推移量）を、Ｉ／Ｆ５０３を介して演出制御部５５０へ出力する。
【００９０】
図６は、ローパスフィルタ５０４から出力された電圧信号の波形パターンを示すグラフである。図６において、ローパスフィルタ５０４から出力された電圧信号は、電圧値が大きく変化するピークを複数有している。遊技中、回転レバー部材２１３を回転させるために、遊技者がハンドル１０９を握りしめると、遊技者の手の平の中に収まった状態にあるカップ部材２１２が、遊技者の手の平あるいは手指などによって押されて変形する。
【００９１】
図６において、ユニモルフ圧電素子３０１から出力される電圧値のピークは、ピークとなる電圧値を出力したタイミングにおいてカップ部材２１２が大きく変形したことを示している。体動と判断できるピークの電圧値は、上述した体動比較値よりも大きい電圧値である。体動比較値よりも値の大きいピークの数が体動回数であり、単位時間当たりの体動回数が多いほど遊技者の興奮が高まっていることを示している。ローパスフィルタ５０４から出力された電圧信号の波形パターンにおけるピークは、遊技者の体動に応じて不定期に出現する。
【００９２】
遊技者によっては、ハンドル１０９を握りしめ、回転レバー部材２１３を回転させた状態で、体動比較値を上回るほどの体動がない場合もある。この発明にかかる実施の形態においては、呼吸推移量算出部５０２によって単位時間当たりの自発呼吸回数を算出し、単位時間当たりの自発呼吸回数の増減から、遊技者の興奮の程度を判断することができる。すなわち、上述したように、一般的な人は興奮が高まってくると、無意識に呼吸回数（自発呼吸回数）が増える傾向にあるため、単位時間当たりの自発呼吸回数が多いほど遊技者の興奮が高まっていると判断することができる。
【００９３】
図７は呼吸用ローパスフィルタ５１０から出力された電圧信号の波形パターンを示すグラフであり、図８は呼吸用ローパスフィルタ５１０を通過する前の電圧信号の波形パターンを示すグラフである。図７および図８において、呼吸用ローパスフィルタ５１０から出力された（呼吸用ローパスフィルタ５１０を通過した）電圧信号の波形パターンは、呼吸用ローパスフィルタ５１０を通過する前の電圧信号の波形パターンに見られる細かな振幅の電圧信号が除去されており、自発呼吸に起因する波形パターンのみが出現している。図６に示した波形パターンも、図７に示した波形パターンと同様に、増幅器４０３を通過した直後の電圧信号から、呼吸用ローパスフィルタ５１０から出力された電圧信号（自発呼吸をあらわす電圧信号）を差し引いた波形パターンをあらわしている。
【００９４】
図７においては、電圧信号（交流の信号）がプラス（「＋」）値となる時間（吸気１回分に要する時間）とマイナス（「−」）値となる時間（呼気１回分に要する時間）との合計時間、すなわち自発呼吸１周期分の時間が短いほど、単位時間当たりの自発呼吸回数が増加し、遊技者の興奮が高まっていると判断することができる。
【００９５】
図９は、この発明にかかる遊技機の機能的構成を示すブロック図である。図９において、遊技機は、操作検出部９０１と、発射部９０２と、変形量検出部９０３と、変形量記憶部９０４と、比較部９０５と、比較値記憶部９０６と、計数部９０７と、回数記憶部９０８と、算出部９０９と、興奮状態検出部９１０と、出力部９１１と、演出部９１２と、を備えている。
【００９６】
操作検出部９０１は、ハンドル１０９に対する発射操作がなされているか否かを検出する。そして、操作検出部９０１は、検出結果を後段の発射部９０２へ出力する。具体的には、操作検出部９０１は、たとえば、上述した検出機構を用いて回転レバー部材２１３の回転角度を検出し、回転レバー部材２１３が待機位置から所定角度回転した状態にあるか否かをもってハンドル１０９に対する発射操作がなされているか否かを検出する。操作検出部９０１は、具体的には、たとえば、回転レバー部材２１３の回転角度を検出する検出機構によってその機能を実現することができる。
【００９７】
発射部９０２は、カップ部材２１２が遊技者によって把持された状態で発射操作がなされている場合に、遊技球を発射する。発射部９０２は、たとえば、ユニモルフ圧電素子３０１から所定値以上の振幅を有する所定の波形パターンの電圧信号が出力されている状態で、操作検出部９０１によってハンドル１０９に対する発射操作がなされていると判断された場合に、遊技球を発射する。
【００９８】
変形量検出部９０３は、遊技者がハンドル１０９を把持することによって発生する、カップ部材２１２の変形量、すなわちユニモルフ圧電素子３０１が出力する電圧信号を連続して検出する。そして、変形量検出部９０３は、検出結果を後段の変形量記憶部９０４へ出力する。また、変形量検出部９０３は、ユニモルフ圧電素子３０１が出力する電圧信号を、発射部９０２に対しても出力する。
【００９９】
変形量検出部９０３は、具体的には、たとえば、図５−１に示した判断機構部５００を構成するユニモルフ圧電素子３０１、増幅器４０３、体動推移量算出部５０１および呼吸推移量算出部５０２によってその機能を実現することができる。すなわち、変形量検出部９０３は、具体的には、たとえば、図５−１に示した判断機構部５００を構成するユニモルフ圧電素子３０１およびマイクロコンピュータによってその機能を実現することができる。
【０１００】
変形量記憶部９０４は、変形量検出部９０３が検出したカップ部材２１２の変形量をあらわす信号（たとえば上記の図６〜図８に示したような各種の波形パターンをあらわす図形（あるいは数値）情報（以下、「波形情報」という））を記憶する。変形量記憶部９０４は、体動推移量算出部５０１によって体動推移量を算出する際、あるいは、呼吸推移量算出部５０２によって呼吸推移量を算出する際に、一時的に波形情報を記憶するものであり、具体的には、たとえば、図５−１に示した判断機構部５００を構成するマイクロコンピュータが備えるＲＯＭやＲＡＭなどのメモリによってその機能を実現することができる。
【０１０１】
比較部９０５は、比較値記憶部９０６が記憶する比較値（所定の閾値）および変形量記憶部９０４が記憶する波形情報に基づいて、ユニモルフ圧電素子３０１が出力する電圧信号と所定の比較値とを比較する。所定の比較値（所定の閾値）は、上述した体動比較値（たとえば「１５０ｍＶ」など）であり、任意に設定可能な値である。比較値記憶部９０６は、具体的には、たとえば、図５−１に示した判断機構部５００を構成するマイクロコンピュータが備えるＲＯＭやＲＡＭなどのメモリによってその機能を実現することができる。
【０１０２】
そして、比較部９０５は、比較結果および変形量記憶部９０４が記憶する波形情報を、後段の計数部９０７に出力する。比較部９０５は、具体的には、たとえば、図５−１に示した判断機構部５００を構成するマイクロコンピュータが備えるＲＯＭやＲＡＭなどのメモリに記憶されたプログラムを、当該マイクロコンピュータが備えるＣＰＵが実行することによってその機能を実現することができる。
【０１０３】
計数部９０７は、比較部９０５から出力された情報に基づいて、単位時間当たりの遊技者の体動回数または自発呼吸回数を計数する。計数部９０７は、体動回数を計数する体動回数計数部９０７ａと、自発呼吸回数を計数する呼吸回数計数部９０７ｂと、を備えている。
【０１０４】
体動回数計数部９０７ａは、ユニモルフ圧電素子３０１が出力する電圧信号が所定の比較値を上回る（あるいは所定の比較値以上である）場合に、ユニモルフ圧電素子３０１が出力する電圧信号があらわす波形パターンにおけるピークのうち、上述した体動比較値を上回る電圧値を有するピーク、すなわち平常時とは異なる体動が単位時間内に出現する数（体動回数）を計数する。
【０１０５】
呼吸回数計数部９０７ｂは、ユニモルフ圧電素子３０１が出力する電圧信号が所定の比較値を下回る場合に、単位時間当たりの遊技者の自発呼吸回数を計数する。単位時間当たりの遊技者の自発呼吸回数は、上述した平均周期時間に基づいて算出することが可能でありここでは説明を省略する。計数部９０７は、計数した体動回数または自発呼吸回数をあらわす信号を、後段の回数記憶部９０８へ出力する。計数部９０７は、具体的には、たとえば、図５−１に示した判断機構部５００を構成するマイクロコンピュータが備えるＲＯＭやＲＡＭなどのメモリに記憶されたプログラムを、当該マイクロコンピュータが備えるＣＰＵが実行することによってその機能を実現することができる。
【０１０６】
回数記憶部９０８は、計数部９０７が係数した、単位時間当たりの遊技者の体動回数および自発呼吸回数を記憶する。回数記憶部９０８は、体動回数を記憶する体動回数記憶領域９０８ａと、自発呼吸回数を記憶する呼吸回数記憶領域９０８ｂと、を備えている。回数記憶部９０８は、具体的には、たとえば、図５−１に示した判断機構部５００を構成するマイクロコンピュータが備えるＲＯＭやＲＡＭなどのメモリによってその機能を実現することができる。
【０１０７】
算出部９０９は、体動推移量算出部９０９ａと、呼吸推移量算出部９０９ｂと、を備えている。体動推移量算出部９０９ａは、回数記憶部９０８が体動回数記憶領域９０８ａに最後に記憶した体動回数（最新の体動回数）と、最新の体動回数を記憶したときよりも以前に記憶した体動回数（過去の体動回数）と、に基づいて上述した体動推移量を算出する。
【０１０８】
体動推移量算出部９０９ａは、特に、最新の体動回数の直前に記憶した体動回数（以下、「直前回の体動回数」という）を、過去の体動回数として用いる。この実施の形態において体動推移量は、下記（１）式を用いて算出する。
【０１０９】
体動推移量＝（直前回の体動回数）／（最新の体動回数）  ・・・（１）
【０１１０】
呼吸推移量算出部９０９ｂは、回数記憶部９０８が呼吸回数記憶領域９０８ｂに最後に記憶した自発呼吸回数（以下、「最新の自発呼吸回数」という）と、最新の自発呼吸回数を記憶したときよりも以前に記憶した自発呼吸回数（以下、「過去の自発呼吸回数」という）と、に基づいて上述した呼吸推移量を算出する。
【０１１１】
呼吸推移量算出部９０９ｂは、特に、最新の自発呼吸回数の直前に記憶した自発呼吸回数（以下、「直前回の自発呼吸回数」という）を、過去の自発呼吸回数として用いる。この実施の形態において呼吸推移量は、下記（２）式を用いて算出する。
【０１１２】
呼吸推移量＝（直前回の自発呼吸回数）／（最新の自発呼吸回数）  ・・・（２）
【０１１３】
興奮状態検出部９１０は、算出部９０９における体動推移量算出部９０９ａが算出した体動推移量に基づいて、遊技者の興奮状態を検出する。興奮状態検出部９１０は、具体的には、たとえば最新の体動回数と過去の体動回数との割合にしたがって、最新の体動回数が過去の体動回数に対して増加した割合あるいは減少した割合に基づいて、遊技者の興奮状態を検出する。過去の体動回数として直前回の体動回数を用いることにより、遊技者の興奮の程度の推移を現状に即して判断することができる。
【０１１４】
また、興奮状態検出部９１０は、算出部９０９における呼吸推移量算出部９０９ｂが算出した呼吸推移量に基づいて、遊技者の興奮状態を検出する。この場合、興奮状態検出部９１０は、具体的には、たとえば最新の自発呼吸回数と過去の自発呼吸回数との割合にしたがって、最新の自発呼吸回数が過去の自発呼吸回数に対して増加した割合あるいは減少した割合に基づいて、遊技者の興奮状態を検出する。過去の自発呼吸回数として直前回の自発呼吸回数を用いることにより、遊技者の興奮の程度の推移を現状に即して判断することができる。
【０１１５】
興奮状態検出部９１０は、具体的には、たとえば、図５−１に示した判断機構部５００を構成するマイクロコンピュータが備えるＲＯＭやＲＡＭなどのメモリに記憶されたプログラムを、当該マイクロコンピュータが備えるＣＰＵが実行することによってその機能を実現することができる。
【０１１６】
出力部９１１は、興奮状態検出部９１０によって検出された検出結果を出力する。出力部９１１は、興奮状態検出部９１０によって検出された検出結果、すなわち遊技者の興奮状態を、たとえば表示部１０２を介して出力することが可能である。この場合、たとえば、遊技者の興奮状態に応じたメッセージ、遊技者の興奮状態をあらわすグラフ、遊技者の興奮状態に応じて動作が異なるキャラクタ画像（動画、静止画いずれでも可）などを、表示部１０２に表示する。また、たとえば、遊技者の興奮状態に応じたメッセージを、キャラクタの台詞として図示しないスピーカを介して出力してもよい。
【０１１７】
具体的には、たとえば、遊技者の興奮状態に応じた表情や仕草のキャラクタ画像を表示部に表示するとともに、「高い興奮状態がつづいています。深呼吸してリラックス、リラックス。」などの遊技者の興奮状態に応じたメッセージを、キャラクタの台詞として図示しないスピーカを介して出力することが可能である。この場合、遊技者の興奮状態は、演出の一環のように出力される。
【０１１８】
また、出力部９１１は、興奮状態検出部９１０によって検出された検出結果を、演出制御部５５０に出力することも可能である。この場合、興奮状態の検出結果は、演出制御部５５０による制御が可能な範囲内で、興奮状態に応じて演出内容を異ならせることによって出力される。出力部９１１は、具体的には、たとえば図５−１に示したＩ／Ｆ５０３によってその機能を実現することができる。
【０１１９】
興奮状態検出部９１０は、たとえば、上記の割合が増加しているか減少しているかに応じて、「興奮が高まっている」、「低下している」のいずれか一方を、興奮状態として検出してもよいし、最新の体動回数の過去の体動回数に対する割合に応じて、「強い興奮状態」、「やや強い興奮状態」、「平常状態（興奮状態に変化がない）」、「低下傾向」、「リラックス状態」などのように、段階的に細分化して設定された複数の興奮状態のいずれか一つを興奮状態として検出してもよい。興奮状態の設定は、たとえば「興奮度（上）」、「興奮度（中）」、「興奮度（下）」、「興奮度（無し）」などのように、遊技機の製造メーカなどが任意の段階数、任意のレベルに設定することが可能である。
【０１２０】
演出部９１２は、所定の演出をおこなう。演出部９１２は、たとえば、始動入賞口１０３における入賞の有無に応じた通常の演出をおこない、大当たり状態になった場合には大当たり演出をおこなう。また、演出部９１２は、出力部９１１から出力された、興奮状態検出部９１０による検出結果に基づいて、「強い興奮状態」、「やや強い興奮状態」、「平常状態（興奮状態に変化がない）」、「低下傾向」、「リラックス状態」などの興奮状態ごとに内容の異なる演出をおこなう。演出部９１２は、図５に示した演出制御部５５０、すなわち演出制御部５５０を構成するＣＰＵ、ＲＯＭ、ＲＡＭ、ＶＲＡＭおよびＩ／Ｆによってその機能を実現することができる。
【０１２１】
演出部９１２は、興奮状態検出部９１０による検出結果が、たとえば「強い興奮状態」や「やや強い興奮状態」など遊技者の興奮が高まっていることを示す結果であった場合は、「平常状態（興奮状態に変化がない）」、「低下傾向」あるいは「リラックス状態」などにおこなう演出よりも内容を派手にした、特定の演出をおこなう。特定の演出は、具体的には、たとえば演出用のＬＥＤの発光輝度を高めたり点滅頻度を通常時よりも多くしたり、演出用の役物を通常時よりも大きく動作させたりする。演出部９１２は、具体的には、たとえば図５−１に示した演出制御部５５０によってその機能を実現することができる。
【０１２２】
また、演出部９１２は、たとえば興奮状態検出部９１０が検出した興奮状態の変遷に基づいて、内容の異なる演出をおこなってもよい。たとえば「平常状態（興奮状態に変化がない）」が検出されてから「強い興奮状態」が検出されるまでの時間間隔が５秒である場合と、当該時間間隔が１分である場合とでは、同じ「強い興奮状態」が検出された場合であっても内容の異なる演出をおこなう。
【０１２３】
また、演出部９１２は、たとえば「やや強い興奮状態」が検出されたあとに「低下傾向」が検出された場合などのように、現時点で検出された興奮状態の内容と、過去に検出された興奮状態の内容と、に基づいて、検出された興奮状態の組み合わせに応じて内容の異なる演出をおこなってもよい。
【０１２４】
また、演出部９１２は、たとえば「強い興奮状態」、「やや強い興奮状態」など平常時よりも高い興奮状態が検出された場合に、興奮を低下させ、遊技者を落ち着かせる内容の演出をおこなってもよい。具体的には、たとえば、演出用ＬＥＤの点滅頻度を少なくしたり、表示部１０２に表示する画像を風景画や静止画にしたり、通常の演出時よりもゆったりしたテンポのＢＧＭを図示しないスピーカから出力したりすることによって、遊技者を落ち着かせる内容の演出をおこなうことができる。
【０１２５】
また、演出部９１２は、たとえば「リラックス状態」が検出された場合に、居眠り防止用の演出をおこなってもよい。具体的には、たとえば、演出用ＬＥＤの点滅頻度や発光輝度を多くしたり、表示部１０２に表示する画像を変化の激しい動画にしたり、通常の演出時よりもテンポの早いＢＧＭを図示しないスピーカから出力したりすることによって、居眠り防止用の演出をおこなうことができる。
【０１２６】
演出部９１２がおこなう演出は、興奮状態検出部９１０が検出する興奮状態ごとにその内容が決定されていてもよく、この場合演出部９１２は検出された興奮状態に応じた内容の演出をおこなう。また、演出部９１２がおこなう演出は、興奮状態検出部９１０が検出する興奮状態の変遷パターンに応じてその内容が決定されていてもよく、この場合演出部９１２は興奮状態が検出されるごとに、検出された興奮状態と当該興奮状態の検出以前に検出された興奮状態とに基づいて、変遷パターンに応じた内容の演出をおこなう。
【０１２７】
図１０は、遊技機の処理手順を示すフローチャートである。図１０において、まず、発射部９０２に対する発射指示があるまで待機する（ステップＳ１００１：Ｎｏ）。発射指示があった場合（ステップＳ１００１：Ｙｅｓ）は、増幅器４０３から連続して出力される電圧信号と所定の比較値とを比較して、連続する単位時間当たりの電圧信号の中に、所定の比較値以上の電圧値を有するピークが出現するか否かを判断する（ステップＳ１００２）。
【０１２８】
ステップＳ１００２において、所定の比較値以上である場合（ステップＳ１００２：Ｙｅｓ）は、単位時間当たりの体動回数を計数し（ステップＳ１００３）、計数した体動回数を回数記憶部９０８における体動回数記憶領域９０８ａに記憶する（ステップＳ１００４）。そして、体動回数記憶領域９０８ａに記憶された体動回数に基づいて、体動推移量を算出する（ステップＳ１００５）。
【０１２９】
つづいて、ステップＳ１００５において算出された体動推移量に基づいて、遊技者の興奮状態を検出し（ステップＳ１００６）、検出された興奮状態に基づいて演出内容を決定して（ステップＳ１００７）、決定された演出をおこなう（ステップＳ１００８）。ステップＳ１００８においては、検出された興奮状態に応じた内容の演出をおこなってもよく、検出された興奮状態の変遷パターンに応じた内容の演出をおこなってもよい。
【０１３０】
その後、決定された演出をおこないながら発射部９０２に対する発射指示が解除されたか否かを判断し（ステップＳ１００９）、発射部９０２に対する発射指示が解除されていない場合（ステップＳ１００９：Ｎｏ）は、ステップＳ１００２に戻って増幅器４０３から連続して出力される電圧信号と所定の比較値とを比較し、ステップＳ１００３〜ステップＳ１００８までの処理あるいは後述するステップＳ１０１０〜ステップＳ１０１２およびステップＳ１００６〜ステップＳ１００８までの処理を繰り返す。一方、発射部９０２に対する発射指示が解除された場合（ステップＳ１００９：Ｙｅｓ）は、一連の処理を終了する。
【０１３１】
また、ステップＳ１００２において、所定の比較値以上ではない（所定の比較値未満である）場合（ステップＳ１００２：Ｎｏ）は、単位時間当たりの自発呼吸回数を計数し（ステップＳ１０１０）、計数した自発呼吸回数を回数記憶部９０８における呼吸回数記憶領域９０８ｂに記憶する（ステップＳ１０１１）。
【０１３２】
つづいて、呼吸回数記憶領域９０８ｂに記憶された自発呼吸回数に基づいて、呼吸推移量を算出し（ステップＳ１０１２）、ステップＳ１００６へ移行する。この場合、ステップＳ１００６においては、ステップＳ１０１２において算出された呼吸推移量に基づいて遊技者の興奮が高まっているか否かを判断し、判断結果に応じて、つづくステップＳ１００７またはステップＳ１００８へ移行して、特定の演出または通常の演出をおこなう。
【０１３３】
その後、特定の演出または通常の演出をおこないながら、発射部９０２に対する発射指示が解除されたか否かを判断する（ステップＳ１００９）。そして、発射部９０２に対する発射指示が解除されるまでの間、ステップＳ１００２〜ステップＳ１００７およびステップＳ１０１０〜ステップＳ１０１２の該当する処理を繰り返し、発射部９０２に対する発射指示が解除された場合に一連の処理を終了する。
【０１３４】
上述したように、この発明にかかる実施の形態の遊技機によれば、操作するために遊技者が確実に触れる箇所から検出した把持部材の変形量に基づいて、遊技者の体動回数を検出し、検出された体動回数に基づいて遊戯中の遊技者の興奮状態を検出することで、興奮の傾向（興奮が高まる傾向にあるか、興奮が低下する傾向にあるか、興奮の程度（強い興奮状態、やや強い興奮状態、平常状態、興奮していない、など）はどの位か、など）を判断することができる。
【０１３５】
そして、この発明にかかる実施の形態の遊技機によれば、遊技者の興奮状態を表示部１０２や図示しないスピーカを介して出力することにより、遊技者の興奮状態を遊技者本人に案内することができる。これによって、たとえば心臓の弱い遊技者を落ち着かせる方向に誘導することができ、単に遊技のみの演出効果の向上のみならず、遊技者の興奮が過剰に高まる（遊技に熱中しすぎる）ことを抑制することができる。
【０１３６】
このように、遊技者の興奮状態を表示部１０２や図示しないスピーカを介して出力することにより、その後の対応を遊技者自身にゆだね、遊技者自身が選択することができる。これにより、たとえば心臓が弱い遊技者が強い興奮に耐えられずに体調を崩したり、遊技に過剰に熱中した遊技者が過度に疲労したりといった事態の発生を防ぎ、遊技者に対して快適な遊技環境を提供することができる。そして、これによって遊技者は、遊技を快適におこなうことができる。
【０１３７】
また、この発明にかかる実施の形態の遊技機によれば、興奮が高まっている（傾向にある）場合には、通常時よりも派手な特定の演出をおこなうなど、興奮の傾向（興奮が高まる傾向にあるか、興奮が低下する傾向にあるか、興奮の程度（強い興奮状態、やや強い興奮状態、平常状態、興奮していない、など）に応じた演出をおこなうことができる。これによって、遊技中の遊技者の興奮状態を確実に検出し、検出結果を反映して演出を効果的におこない、遊技機における遊技の面白みの向上を図ることができる。
【０１３８】
また、この発明にかかる実施の形態の遊技機によれば、体動が小さい遊技者であっても、遊技者に意識させることなく遊技中の遊技者の興奮の傾向（興奮が高まっている傾向にあるか否か）を把握することができる。そして、興奮の傾向を体動で判断する場合と同様に、興奮が高まっている（傾向にある）場合には、通常時よりも派手な演出をおこなうなど、遊技者の興奮の傾向（興奮が高まっている傾向にあるか否か）に応じた演出をおこなうことができる。
【０１３９】
すなわち、この発明にかかる実施の形態の遊技機によれば、遊技者に意識させることなく、遊技中の遊技者の興奮状態を確実に検出し、検出結果を反映して演出を効果的におこない、遊技機における遊技の面白みの向上を図ることができる。
【０１４０】
また、この発明にかかる実施の形態の遊技機によれば、「強い興奮状態」、「やや強い興奮状態」、「平常状態（興奮状態に変化がない）」、「低下傾向」、「リラックス状態」などのように、段階的に細分化して設定された複数の興奮状態（興奮状態の変遷を含む）に応じて、それぞれの興奮状態に適した演出をおこなうことで、演出を効果的におこない、遊技機における遊技の面白みの向上を図ることができる。
【０１４１】
また、この発明にかかる実施の形態の遊技機によれば、すべての遊技者に対する一律の閾値ではなく、同じ遊技者の過去の状態を基準にして遊技中の遊技者の興奮状態を検出し、興奮の傾向（興奮が高まる傾向にあるか、興奮が低下する傾向にあるか、興奮の程度（強い興奮状態、やや強い興奮状態、平常状態、興奮していない、など）はどの位か、など）を判断することができる。
【０１４２】
すなわち、遊技者の興奮状態を精度よく検出することができ、検出結果を反映することによって演出を一層効果的におこない、遊技機における遊技のより一層の面白みの向上を図ることができる。
【０１４３】
また、この発明にかかる実施の形態の遊技機によれば、遊技者の体動および自発呼吸を、ユニモルフ圧電素子を用いて検出することにより、遊技機の構成の簡易化を図ることができる。
【０１４４】
以上説明したように、この発明にかかる実施の形態の遊技機および演出方法によれば、遊技者に意識させることなく、遊技中の遊技者の興奮状態を確実に検出し、検出結果を遊技者に案内したり、検出結果を反映して演出を効果的におこなったりすることができ、遊技機における遊技の面白みの向上を図ることができる。
【０１４５】
なお、本実施の形態で説明した演出方法は、予め用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【産業上の利用可能性】
【０１４６】
以上のように、この発明にかかる遊技機および演出方法は、遊技者が直接触れて操作するハンドルを備える遊技機および遊技機における演出方法に有用であり、特に、パチンコ遊技機などのように遊技をおこなう際に遊技者が直接触れるハンドルを備える遊技機および当該遊技機における演出方法に適している。
【図面の簡単な説明】
【０１４７】
【図１】この発明の遊技機の一例を示す正面図である。
【図２−１】ハンドルを示す斜視図である。
【図２−２】カップ部材を示す斜視図である。
【図３】カップ部材を示す平面図である。
【図４】基板および基板に取り付けられた各部を示す説明図である。
【図５−１】判断機構部を示すブロック図である。
【図５−２】体動推移量算出部の構成を示すブロック図である。
【図５−３】呼吸推移量算出部の構成を示すブロック図である。
【図６】ローパスフィルタから出力された電圧信号の波形パターンを示すグラフである。
【図７】呼吸用ローパスフィルタから出力された電圧信号の波形パターンを示すグラフである。
【図８】呼吸用ローパスフィルタを通過する前の電圧信号の波形パターンを示すグラフである。
【図９】この発明にかかる遊技機の機能的構成を示すブロック図である。
【図１０】遊技機の処理手順を示すフローチャートである。
【符号の説明】
【０１４８】
３０１  ユニモルフ圧電素子
４０３  増幅器
９０１  操作検出部
９０２  発射部
９０３  変形量検出部
９０４  変形量記憶部
９０５  比較部
９０６  比較値記憶部
９０７  計数部
９０８  回数記憶部
９０９  算出部
９１０  興奮状態検出部
９１１  出力部
９１２  演出部
【図１】
2008289789.tif 000003
【図２−１】
2008289789.tif 000004
【図２−２】
2008289789.tif 000005
【図３】
2008289789.tif 000006
【図４】
2008289789.tif 000007
【図５−１】
2008289789.tif 000008
【図５−２】
2008289789.tif 000009
【図５−３】
2008289789.tif 000010
【図６】
2008289789.tif 000011
【図７】
2008289789.tif 000012
【図８】
2008289789.tif 000013
【図９】
2008289789.tif 000014
【図１０】
2008289789.tif 000015